(57)【要約】  【課題】  操作者から被検者への撮影部位に応じた体位移動を的確に指示できるようにする。  【解決手段】  Ｘ線管６はテーブル１０１に乗せられた被検者にＸ線を照射する。モニタ１０３は受像装置１０２により検出された前記被検者の透過Ｘ線を表示する。操作卓１０４はＸ線管６へのＸ線照射条件の設定のための操作部及び前記被検者への指示を伝えるマイク１０７を具備する。方向指示器２００はモニタ１０３により表示される透過Ｘ線像に応じた体位方向を示す。操作卓１０４に内蔵されるコンピュータは、方向指示器２００に表示される体位方向をマイク１０７から入力された操作者の指示に従って制御する。【選択図】      図２
2005087422.tif 000002
【特許請求の範囲】
【請求項１】
寝台に乗せられた被検者にＸ線を照射するＸ線源と、このＸ線源に対向配置され前記被検者の透過Ｘ線を検出するＸ線検出器と、このＸ線検出器により検出された透過Ｘ線像を表示する画像表示器と、前記Ｘ線源へのＸ線照射条件の設定のための操作部及び前記被検者への指示を伝えるマイクを具備する操作卓とを備えたＸ線診断装置において、前記画像表示器により表示される透過Ｘ線像に応じた体位を示す体位表示器と、この体位表示器に表示される体位を前記マイクから入力された操作者の指示に従って制御する表示制御手段と、を備えたことを特徴とするＸ線診断装置。
【請求項２】
寝台に乗せられた被検者にＸ線を照射するＸ線源と、このＸ線源に対向配置され前記被
検者の透過Ｘ線を検出するＸ線検出器と、このＸ線検出器により検出された透過Ｘ線像を
表示する画像表示器と、前記Ｘ線源へのＸ線照射条件の設定のための操作部及び前記被検
者への指示を伝えるマイクを具備する操作卓とを備えたＸ線診断装置において、前記画像
表示器により表示される透過Ｘ線像に応じた体位を示す体位表示器と、この体位表示器に
表示される体位に対応して前記被検者の耳の近傍となる位置に複数個配置され前記被検者へ体位移動を指示するスピーカ手段と、前記マイクから入力された操作者の指示に従って前記スピーカ手段を選択して制御するスピーカ制御手段と、を備えたことを特徴とするＸ
線診断装置。
【発明の詳細な説明】
【技術分野】
【０００１】
本発明は、撮影部位に応じた体位移動を的確に医師又は技師等の操作者から被検者へ指示することが可能なX線診断装置に関するものである。
【背景技術】
【０００２】
従来のX線診断装置は、［特許文献1］に記載されるように、操作者は例えば、消化管の疾患検査において、二重造影法にてX線写真を撮る場合、別室からマイクを使って被検者に体位の移動を指示していたが、被検者の不慣れ等により、医師の希望通りに体位の移動を行うことは難しかった。そこで、被検者の前に見える様TVモニタをX線TV寝台装置に設置し、このモニタに操作者の望む体位を表示することにより、スムースに被検者の体位移動を行うようにしている。
【特許文献１】特開平7-213515号公報
【発明の開示】
【発明が解決しようとする課題】
【０００３】
しかしながら、上記従来技術では、上記被検者の五感が不自由である場合、その不自由さを補うための眼鏡や補聴器等の装着具を装着するが、X線検査時には危険防止のためなどの理由によりその装着具を取り外す必要があるので、被検者の前に操作者の望む体位が見えるようにするだけでは、被検者に操作者の指示が十分に伝わらないおそれがある。
【０００４】
本発明の目的は、操作者から被検者への撮影部位に応じた体位移動を的確に指示できるX線診断装置を提供することにある。
【課題を解決するための手段】
【０００５】
前記課題を解決するために、本発明は以下のように構成される。
（1）寝台に乗せられた被検者にX線を照射するX線源と、このX線源に対向配置され前記被検者の透過X線を検出するX線検出器と、このX線検出器により検出された透過X線像を表示する画像表示器と、前記X線源へのX線照射条件の設定のための操作部及び前記被検者への指示を伝えるマイクを具備する操作卓とを備えたX線診断装置において、前記画像表示器により表示される透過X線像に応じた体位を示す体位表示器と、この体位表示器に表示される体位を前記マイクから入力された操作者の指示に従って制御する表示制御手段と、を備えたことを特徴とすることを特徴とする。
これにより、前記表示制御手段がマイクの音声と前記体位表示器の表示が連動させることとなるから、操作者から被検者への撮影部位に応じた体位移動を的確に指示できる。
【０００６】
（2）寝台に乗せられた被検者にX線を照射するX線源と、このX線源に対向配置され前記被検者の透過X線を検出するX線検出器と、このX線検出器により検出された透過X線像を表示する画像表示器と、前記X線源へのX線照射条件の設定のための操作部及び前記被検者への指示を伝えるマイクを具備する操作卓とを備えたX線診断装置において、前記画像表示器により表示される透過X線像に応じた体位を示す体位表示器と、この体位表示器に表示される体位に対応して前記被検者の耳の近傍となる位置に複数個配置され前記被検者へ体位移動を指示するスピーカ手段と、前記マイクから入力された操作者の指示に従って前記スピーカ手段を選択して制御するスピーカ制御手段と、を備えたことを特徴とする。
これにより、前記スピーカ制御手段がマイクの音声を被検者の体位に応じてその耳に近いスピーカから発声させることとなるから、操作者から被検者への撮影部位に応じた体位移動を的確に指示できる。
【発明の効果】
【０００７】
本発明によれば、操作者から被検者への撮影部位に応じた体位移動を的確に指示できる。
【発明を実施するための最良の形態】
【０００８】
以下、本発明の実施例を添付図面に基づいて説明する。
図2はX線診断装置のシステム構成を示す1例である。
X線診断装置はX線高電圧装置100と、被検者を乗せる寝台101と、被検者を透過したX線を受けるフィルムや、イメージインテンシファイア（I.I.）等の受像装置102と、X線室内にてX線透過像の表示をするモニタ103と、X線条件の設定，X線透過像の表示、及びX線管6，受像装置102，寝台101を動作させる機能を有する操作卓104、被検者への指示を伝えるマイク107と、X線管6を支持する支持装置106から構成されている。
【０００９】
次に上記構成要素のそれぞれの機能について説明する。
寝台101は被検者を乗せるテーブルで、素材にはX線吸収係数が低く、強度が高いカーボンを用いている。また寝台は上下の移動と立位、逆傾が可能なように傾斜する機構を有している。
【００１０】
受像装置102は被検者を透過したX線を受けるもので、フィルムと増感紙からなるカセッテや、蛍光体と光電子増倍管からなるイメージインテンシファイア（I.I.）等を用いる。また、最近では、小型，薄型である、フラットパネルX線検出器（FPD）も用いられるようになってきた。
【００１１】
支持装置106はX線管6を支持するもので、寝台101に接続され、X線管6を指示している。また、X線管6と受像装置102の両者を天井から支持する方法と、床から支持するタイプ、X線管6は天井から支持し、受像装置102に同期してX線管6が移動するアームレスタイプもある。
【００１２】
操作卓104はX線条件を設定し、所望のX線を照射する撮影専用と、寝台101、X線管6，受像装置102の移動する機能も持つ透視台用がある。また，透視台用操作卓には，被検者を透過したX線像をモニタにて表示する機能も搭載している。この操作卓104には、X線条件の設定や透視台用の位置設定のために公知のコンピュータにより制御部が内蔵されている。
【００１３】
モニタ103はX線室内にて被検者を透過したX線像を表示するモニタで、1台、または、必要に応じて複数台設けられている。
【００１４】
X線条件を操作卓104にて設定し、X線高電圧装置100を動作させることで、X線管6から被検者に対してX線が照射される。照射されたX線は被検者を透過し、受像装置102にてX線を受ける。受像装置102にて受像した透過像はモニタ103、及び操作卓104上のモニタに表示される。この際、透過像の表示タイミングは，撮影の場合は撮影終了後、つまりX線照射が終了した直後で、透視の場合は透視中、つまりX線が照射されている最中である。
【００１５】
図1に本発明の第1の実施例を示す。
支持装置106には方向表示器200が搭載されている。この表示器200は被検者の次の体位を表示し、動作を支援するもので、右方向、左方向、右回転、左回転を示す矢印が用意されており、操作者の指示に従い、矢印が点灯する仕組みとなっている。
【００１６】
図3に方向表示器200の主な構成を示す。
操作卓104にはマイク107が設けられており、その信号はスピーカ300と、音声認識装置110に入力される。音声認識装置110は操作卓104の内部に設けられており、マイク107からの入力された音声に従って、方向表示器200の矢印を点灯させる装置である。
【００１７】
図4に音声認識装置110の詳細を示す。
音声認識装置110は操作卓104に内蔵されており、入力音声判断部111、登録単語格納部112、音声-表示信号変換部113から構成されている。
【００１８】
マイク107にて入力された入力音声は登録単語格納部112に格納される。例えば、右、方向の2つ単語を操作者ごとに登録しておく。2回目以降は入力音声判断部111に入力され、マイク107から入力された音声が何を意味する単語であるかを判断する。例えば右方向という音声が入力されると、登録単語格納部112からは、右と方向の2つが入力音声判断部111に入力され、その内容は右方向を向く矢印を点灯させる命令であると、判断する。その結果は音声-表示信号変換部113に入力され、電気信号として方向表示器200に入力される。
【００１９】
図5に方向表示器200の詳細を示す。
方向表示器200は表示信号判断部201、右回転表示部211、右方向表示部212、左回転表示部213、左方向表示部214から構成されている。
音声認識装置110から入力された表示信号は表示信号判断部201に入力され、信号の内容によってどの表示部を点灯されるかを判断し、その結果をもって、指示された表示部を点灯させる。
【００２０】
例えば、音声認識装置110から右方向の表示信号が入力された場合、表示信号判断部201では右方向の表示部を点灯させると判断し、右方向表示部212を点灯させる。
このような一連の動作により、操作者は発した音声による指示は矢印に変換され、被検者に明示することで、体位の指示がより正確に伝わる。
【００２１】
図6に本発明の第2の実施例を示す。
被検者を乗せるテーブル101上には逆傾時に被検者がテーブル101から落ちないようにするためのバー108が設けられている。本発明ではバー108上に停止タイミング表示器401及び402を搭載している。
【００２２】
図7に停止タイミング表示器401及び402の主な構成を示す。
操作卓104にはマイク107が設けられており、その信号はスピーカ300と、音声認識装置110に入力される。音声認識装置110は操作卓104の内部に設けられており、マイク107からの入力された音声に従って、停止タイミング表示器401及び402を点滅させる装置である。
【００２３】
図8に音声認識装置110の詳細を示す。
音声認識装置110は操作卓104に内蔵されており、入力音声判断部111、登録単語格納部112、音声-表示信号変換部113、表示器切り替え部114から構成されている。
マイク107にて入力された入力音声は登録単語格納部112に格納される。例えば、右、方向の2つ単語を操作者ごとに登録しておく。2回目以降は入力音声判断部111に入力され、マイク107から入力された音声が何を意味する単語であるかを判断する。
【００２４】
例えば右方向という音声が入力されると、登録単語格納部112からは、右と方向の2つが入力音声判断部111に入力され、その内容は右方向を向く表示器を点滅させる命令であると、判断する。その結果は音声-表示信号変換部113に入力され、表示器切り替え部114に入力され、停止タイミング表示器（右）401を点滅させる電気信号として停止タイミング表示器（右）401に入力される。
【００２５】
図9に停止タイミング表示器の詳細を示す。
停止タイミング表示器は停止タイミング表示器（右）401、停止タイミング表示器（左）402から構成されている。
音声認識装置110から入力された表示信号は停止タイミング表示器に入力され、操作者が指示している間停止タイミング表示器を点滅させ、指示をやめると点滅をやめる。
【００２６】
例えば、音声認識装置110から右方向の表示信号が入力された場合、停止タイミング表示器（右）401が点滅し、操作者が右方向の指示をやめると点滅が終了する。このような一連の動作により、操作者が指示している間は停止タイミング表示器が点滅し、被検者に明示することで、体位の指示、及び体位移動の停止タイミングがより正確に伝わる。
【００２７】
図10に本発明の第3の実施例を示す。
被検者を乗せるテーブル101上には逆傾時に被検者がテーブル101から落ちないようにするためのバー108が設けられている。本発明ではバー108上に右スピーカ501及び左スピーカ502を搭載している。
【００２８】
図11に右スピーカ501及び左スピーカ502の主な構成を示す。
操作卓104にはマイク107が設けられており、音声認識装置110に入力される。音声認識装置110は操作卓104の内部に設けられており、マイク107からの入力された音声に従って、右スピーカ501及び左スピーカ502から音声を出力させる装置である。
【００２９】
図12に音声認識装置110の詳細を示す。
音声認識装置110は操作卓104に内蔵されており、入力音声判断部111、登録単語格納部112、音声-表示信号変換部113、スピーカ切り替え部115から構成されている。
マイク107にて入力された入力音声は登録単語格納部112に格納される。例えば、右、方向の2つ単語を操作者ごとに登録しておく。2回目以降は入力音声判断部111に入力され、マイク107から入力された音声が何を意味する単語であるかを判断する。
【００３０】
例えば右方向という音声が入力されると、登録単語格納部112からは、右と方向の2つが入力音声判断部111に入力され、その内容は右方向を向くスピーカから音声を出力する命令であると判断する。その結果はスピーカ切り替え部115に入力され、右スピーカ501から音声を出力させる信号として右スピーカ501に入力される。
【００３１】
図13にスピーカ部の詳細を示す。
スピーカ部は右スピーカ501、左スピーカ502から構成されている。
音声認識装置110から入力された音声信号は、操作者が指示している方向を示すスピーカのみから音声を出力する。
【００３２】
例えば、音声認識装置110から右方向の表示信号が入力された場合、右スピーカ501から指示が音声として出力される。このような一連の動作により、操作者が指示した音声は被検者の耳元で出力され、体位の指示がより正確に伝わる。
【００３３】
以上で説明したように，本実施形態によれば、被検者に対して余分な動作を未然に防げるため体力的負担を軽減すると共に、検査時間を短縮し、かつ、被検者、操作者の被曝を低減することができる。
【図面の簡単な説明】
【００３４】
【図１】本発明の第1の実施形態の構成を示す図。
【図２】X線診断装置のシステム構成を示す図。
【図３】方向表示器の主な構成を示す図。
【図４】音声認識装置の詳細を示す図。
【図５】方向表示器の詳細を示す図。
【図６】本発明の第2の実施例を示す図。
【図７】停止タイミング表示器の主な構成を示す図。
【図８】第2の実施例における音声認識装置の詳細を示す図。
【図９】停止タイミング表示器の詳細を示す図。
【図１０】本発明の第3の実施例を示す図。
【図１１】右スピーカ及び左スピーカの主な構成を示す。
【図１２】第3の実施例における音声認識装置の詳細を示す図。
【図１３】スピーカ部の詳細を示す。
【符号の説明】
【００３５】
6…X線管、101…テーブル、102…受像装置、103…モニタ、104…操作卓、107…マイク、200…方向表示部
【図１】
2005087422.tif 000003
【図２】
2005087422.tif 000004
【図３】
2005087422.tif 000005
【図４】
2005087422.tif 000006
【図５】
2005087422.tif 000007
【図６】
2005087422.tif 000008
【図７】
2005087422.tif 000009
【図８】
2005087422.tif 000010
【図９】
2005087422.tif 000011
【図１０】
2005087422.tif 000012
【図１１】
2005087422.tif 000013
【図１２】
2005087422.tif 000014
【図１３】
2005087422.tif 000015